(57)【要約】【課題】  挿入方向先端側の端部が相対的に縮径した金属製パイプを用いることにより上記不良の発生を防止でき、さらに、パイプの端部を傾斜面とし、端部の開口面積を８０％以下となるように縮径して、凹陥部の傾斜面に沿って挿入されることにより作業性を向上させることができるようにする。【解決手段】  間隔をおいて対向する表壁２および裏壁３と、表壁２および裏壁３の周辺部を閉塞する周囲壁４を有するプラスチック製の中空二重壁構造体１の補強方法である。裏壁３には中空部内に膨出した複数の凹陥部８ａ、８ｂを設ける。周囲壁４に形成した挿入口９より、挿入方向先端側の端部が相対的に縮径された金属製の角柱状パイプからなる補強部材６を中空部内に挿入する。補強部材６はその側面を凹陥部８ａ、８ｂと接触させることにより固定する。【選択図】      図１
2008162538.tif 000002
【特許請求の範囲】
【請求項１】
間隔をおいて対向する表壁および裏壁と、前記表壁および前記裏壁の周辺部を閉塞する周囲壁を有するプラスチック製の中空二重壁構造体の補強方法であって、
前記表壁または前記裏壁の少なくとも一方には中空部内に膨出した複数の凹陥部を設け、
前記周囲壁に形成した挿入口より挿入方向先端側の端部が相対的に縮径した金属製パイプを中空部内に挿入し、
前記金属製パイプの側面を前記凹陥部と接触させることにより固定する
ことを特徴とする中空二重壁構造体の補強方法。
【請求項２】
前記パイプが円筒状または角柱状であって、
縮径された端部には傾斜面が形成されており、
中空部内に膨出した前記凹陥部が前記パイプの傾斜面を乗り越えて前記パイプの側面と接触することにより固定される
ことを特徴とする請求項１記載の中空二重壁構造体の補強方法。
【請求項３】
前記凹陥部には傾斜面が形成されており、
前記凹陥部の傾斜面は前記パイプの傾斜面より傾斜角度が小さい
ことを特徴とする請求項２記載の中空二重壁構造体の補強方法。
【請求項４】
前記パイプは空洞状で端部が開口しており、
パイプ断面の開口面積に対して少なくとも挿入方向先端側の端部の開口面積が８０％以下に縮径されている
ことを特徴とする請求項１記載の中空二重壁構造体の補強方法。
【発明の詳細な説明】
【技術分野】
【０００１】
本発明は、ブロー成形等により形成されたプラスチック製の中空二重壁構造体の補強方法であって、中空部内に金属製のパイプを挿入して固定するものである。
【背景技術】
【０００２】
従来から、中空部内に挿入した金属製のパイプを凹陥部よって固定することが知られている。例えば、特開２００６−２８１８７４公報（特許文献１）または特開平１１−１１５６８７号公報（特許文献２）には、中空部内にパイプを押し込み、凹陥部と当接させることにより緊密に挿入固定することが開示されている
【特許文献１】特開２００６−２８１８７４公報
【特許文献２】特開平１１−１１５６８７号公報
【発明の開示】
【発明が解決しようとする課題】
【０００３】
ところが、図５に示すように、中空二重壁構造体ａの中空部ｂ内に挿入される金属製のパイプｃは中空二重壁構造体の寸法に合わせて切断したものを用いるため端部ｄが鋭利となり凹陥部を傷つけやすくなっている。さらに、パイプの外経寸法のバラツキおよび中空二重壁構造体の熱収縮等によりパイプと凹陥部との接触程度を調整することは困難であり、緊密に固定する観点からパイプと凹陥部の当接量を大きくする必要がある。このため、パイプの端部が凹陥部を削って穴が開くなどの不良が発生する。
【０００４】
そこで本発明は、挿入方向先端側の端部が相対的に縮径した金属製パイプを用いることにより上記不良の発生を防止するものであり、さらに、パイプの端部を傾斜面とし、端部の開口面積を８０％以下となるように縮径して、凹陥部の傾斜面に沿って挿入されることにより作業性を向上させものである。
【課題を解決するための手段】
【０００５】
本発明の請求項１に係る中空二重壁構造体の補強方法は、間隔をおいて対向する表壁および裏壁と、前記表壁および前記裏壁の周辺部を閉塞する周囲壁を有するプラスチック製の中空二重壁構造体の補強方法であって、前記表壁または前記裏壁の少なくとも一方には中空部内に膨出した複数の凹陥部を設け、前記周囲壁に形成した挿入口より挿入方向先端側の端部が相対的に縮径した金属製パイプを中空部内に挿入し、前記金属製パイプの側面を前記凹陥部と接触させることにより固定することを特徴とするものである
【０００６】
本発明の請求項２に係る中空二重壁構造体の補強方法は、請求項１記載の手段において、前記パイプが円筒状または角柱状であって、縮径された端部には傾斜面が形成されており、中空部内に膨出した前記凹陥部が前記パイプの傾斜面を乗り越えて前記パイプの側面と接触することにより固定されることを特徴とするものである。
【０００７】
本発明の請求項３に係る中空二重壁構造体の補強方法は、請求項２記載の手段において、前記凹陥部には傾斜面が形成されており、前記凹陥部の傾斜面は前記パイプの傾斜面より傾斜角度が小さいことを特徴とするものである。
【０００８】
本発明の請求項４に係る中空二重壁構造体の補強方法は、請求項１記載の手段において、前記パイプは空洞状で端部が開口しており、パイプ断面の開口面積に対して少なくとも挿入方向先端側の端部の開口面積が８０％以下に縮径されていることを特徴とするものである。請求項１記載の中空二重壁構造体の補強方法。
【発明の効果】
【０００９】
本発明によれば、挿入方向先端側の端部が相対的に縮径した金属製パイプを用いることにより上記不良の発生を防止でき、さらに、パイプの端部を傾斜面とし、端部の開口面積を８０％以下となるように縮径して、凹陥部の傾斜面に沿って挿入されることにより作業性を向上させることができる。
【発明を実施するための最良の形態】
【００１０】
本発明の実施の形態を図面に基づいて説明する。
【００１１】
図１は中空二重壁構造体の全体斜視図である。図１に示す中空二重壁構造体１はブロー成形により一体成形され、間隔をおいて対向する表壁２および裏壁３と、その間の周縁部を閉塞する周囲壁４からなり、５は中空部である。中空二重壁構造体１の長手方向に沿った所定の位置には補強部材６が挿通され固定されている。すなわち、中空二重壁構造体１の長手方向に沿った所定の位置には補強材挿通用空洞部７が設けられ、この挿通用空洞部７の長手方向に所定の間隔をおいて複数の凹陥部８ａ、８ｂを裏壁３より中空部５方向に膨出形成してあって、これにより補強部材６を固定するものである。凹陥部８ａ、８ｂはそれぞれ三角形状を有しており、挿通用空洞部７に向けて三角形の頂点が配置される。凹陥部の各頂点と補強部材６の側面が接触することで安定に固定されガタツキが防止される。凹陥部８ａ、８ｂはそれぞれ補強部材６の上下方向、左右方向の移動を規制する。
【００１２】
補強部材６は、挿入方向先端側の端部を相対的に縮径されており、補強部材６はその縮径部１０側の端部から、周囲壁４に形成した挿入口９より中空部５内に挿入する。
【００１３】
前記補強部材６の縮径された端部には傾斜面１１が形成されており、中空部５内に膨出している凹陥部８ａ、８ｂがその傾斜面１１を乗り越えて補強部材６の側面と接触して固定される。凹陥部８ａ、８ｂは補強部材６の挿入方向に対してなだらかに傾斜した傾斜面１２を有する。前記傾斜面１２は補強部材６の傾斜面１１より傾斜角度が小さく形成されている。補強部材６はその端部が開口しており、縮径されていない部分の断面積に対して少なくとも挿入方向先端側の端部の開口面積が９０〜３０％の範囲に縮径されている。好ましくは８０％以下、さらに好ましくは６５％以下の開口面積となるように縮径される。開口面積の比が９０％より大きい場合には傾斜面１１が小さくなり、凹陥部８ａ、８ｂを傷つけやすく破れなどの不良が発生する。一方、３０％未満の場合には補強部材６の端部の縮径が困難となり、縮径された端部の形状がバラツキ、部分的に潰れた突起などが生じてかえって挿入性が低下しやすくなる。１３は表皮材である。
【００１４】
補強部材６としては、前記のように角柱状パイプまたは円筒形パイプ等の金属製パイプを用いることができるが、図３には角柱状パイプの補強部材が、図４には円筒形パイプの補強部材６を例示している。補強部材６の少なくとも挿入方向先端側の端部は凹陥部８ａ、８ｂとの接触抵抗を小さくするため傾斜面１１が形成されるように縮径されている。図４に示す円筒形パイプの補強部材６にあってはその挿入方向先端の端部が先細り状の縮径部１０が形成されている。
【００１５】
（実施例１）
補強部材として、外径寸法１５．９ｍｍ、肉厚１．０ｍｍの円筒状の鉄製のパイプを用いた。円筒状のパイプの端部を先細り状に開口面積の比が約６０％になるように直径方向に約３．０ｍｍ縮径させた。また、凹陥部８ａの傾斜面１２を３０°として補強部材の挿入性を確認した。この場合、補強部材の傾斜面１１は凹陥部８ａの傾斜面１２の傾斜角度より大きく約４５°であり、凹陥部８ａを削る等の不良は発生せず挿入性は良好であった。
【００１６】
（実施例２）
他方、実施例１と同一の補強部材を用いて、パイプの端部を先細り状に開口面積の比が約９５％になるように直径方向に約１．０ｍｍ縮径さ、同様に凹陥部８ａの傾斜面１２を３０°として補強部材の挿入性を確認した。この場合、補強部材の傾斜面１１は凹陥部８ａの傾斜面１２の傾斜角度より小さく約２５°であり、凹陥部８ａを削る等の不良が発生した。
【図面の簡単な説明】
【００１７】
【図１】中空二重壁構造体の全体斜視図である。
【図２】同上一部の詳細断面図である。
【図３】角柱状パイプからなる補強部材の部分斜視図である。
【図４】円筒形パイプからなる補強部材の部分断面図である。
【図５】従来例の部分断面図である。
【符号の説明】
【００１８】
１  中空二重壁構造体
２  表壁
３  裏壁
４  周囲壁
５  中空部
６  補強部材
７  挿通用空洞部
８ａ、８ｂ  凹陥部
９  挿入口
１０  縮径部
１１  傾斜面
１２  傾斜面
１３  表皮材
【図１】
2008162538.tif 000003
【図２】
2008162538.tif 000004
【図３】
2008162538.tif 000005
【図４】
2008162538.tif 000006
【図５】
2008162538.tif 000007